(57)【要約】      （修正有）【課題】かごサイズが大きいエレベータでも組立が容易で作業者に負担をかけず、また、安価に得ることができるエレベータのかご手摺装置を提供する。【解決手段】かご室１の上部に設けられたフレーム部材３に対して略鉛直方向に突設され先端部が傾動し得るコイルばねと、根元部８ａがこのコイルばねの外周部を包囲するように係合され、横向きに倒伏し得る柱部材８と、この柱部材の倒伏状態を保持する固定具と、上記柱部材の起立状態を保持する保持部材１０と、上記柱部材の先端部に固定された手摺部材１１とを備えるようにした。【選択図】図１
2008285272.tif 000002
【特許請求の範囲】
【請求項１】
かご室の上部に設けられたフレーム部材に対して略鉛直方向に突設され先端部が傾動し得るコイルばねと、根元部がこのコイルばねの外周部を包囲するように係合され、横向きに倒伏し得る柱部材と、この柱部材の倒伏状態を保持する固定具と、上記柱部材の起立状態を保持する保持部材と、上記柱部材の先端部に固定された手摺部材とを備えたことを特徴とするエレベータの手摺装置。
【請求項２】
上記柱部材は中空の筒状材からなることを特徴とする請求項１に記載のエレベータの手摺装置。
【請求項３】
上記保持部材は、上記柱部材が起立されたときに該柱部材の倒伏方向を除く３方を包囲するように形成され、下端部が上記フレーム部材に固定された倒れ防止金具からなることを特徴とする請求項１または請求項２に記載のエレベータの手摺装置。
【請求項４】
上記倒れ防止金具は、上記柱部材が起立されたときに該柱部材の根元部を固定する固定部材を備えたことを特徴とする請求項３に記載のエレベータの手摺装置。
【請求項５】
上記コイルばねの先端部に形成されたフック部と、上記柱部材の内部に設けられ上記フック部に係合して該柱部材が上記コイルばねから抜けるのを防ぐピンを備えたことを特徴とする請求項２ないし請求項４の何れかに記載のエレベータの手摺装置。
【発明の詳細な説明】
【技術分野】
【０００１】
この発明は、エレベータのかご室の上部に設置されて、かご上での保守作業の安全性を確保するために用いられるエレベータの手摺装置に関するものである。
【背景技術】
【０００２】
従来のエレベータの手摺装置として、かごの上部における一辺の縁部に下部が枢着されて常時は上記かごの上面に倒伏配置され要時に立設される一側手摺と、上記かごの上部における上記一辺に対向した他辺の縁部に下部が枢着されて常時は上記上面に倒伏配置され要時に立設される他側手摺と、上記一側手摺及び他側手摺の両者の一方に設けられた検出器と、上記両者の他方に連結体によって連結されて上記両者の倒伏配置を介して人為操作によって上記検出器との対向位置に配置され、上記検出器に係合されて上記検出器を作動させる係合具とを備えたものがある（例えば特許文献１参照。）。
【０００３】
【特許文献１】特開２００２−２８４４６９号公報（第１頁、図１）
【発明の開示】
【発明が解決しようとする課題】
【０００４】
上記のように構成された従来のエレベータの手摺装置においては、昇降路頂部のスペースが制限されたエレベータにおいて、かごの上面に複数の保守作業用の手摺装置を折り畳み可能（起伏自在）に設置し、通常時は手摺装置を折り畳み状態（倒伏状熊）とし、保守作業時には手摺装置を折り畳み状態から起立状態として、かご上での保守作業の安全性を確保している。そのため、保守時には乗場から手摺を組み立てる必要があるが、かごサイズが大きいエレベータの場合、手摺質量が大きくなり作業員に大きな負担がかかる。また、従来はかごの上枠への接続が軸で構成されていた為、手摺にある複数の軸の軸芯を合わせる必要があり、製造の精度や据付での調整が必要不可欠で、コスト高になるという課題があった。
【０００５】
この発明は、上記のような従来技術の課題を解決するためになされたもので、かごサイズが大きいエレベータでも組立が容易で作業者に負担をかけず、また、安価に得ることができるエレベータのかご手摺装置を提供することを目的としている。
【課題を解決するための手段】
【０００６】
この発明に係るエレベータのかご手摺装置は、かご室の上部に設けられたフレーム部材に対して略鉛直方向に突設され先端部が傾動し得るコイルばねと、根元部がこのコイルばねの外周部を包囲するように係合され、横向きに倒伏し得る柱部材と、この柱部材の倒伏状態を保持する固定具と、上記柱部材の起立状態を保持する保持部材と、上記柱部材の先端部に固定された手摺部材とを備えたものである。
【発明の効果】
【０００７】
この発明においては、フレーム部材に対して略鉛直方向に突設され先端部が傾動し得るコイルばねの外周部に柱部材を係合したので、かごサイズが大きいエレベータに適用した場合でも手摺を組立てるときの操作力がコイルばねの復元力によって軽減され、また構造が簡単なので組立が容易で作業者に負担をかけず、また、安価に得ることができる。
【発明を実施するための最良の形態】
【０００８】
実施の形態１．
図１〜図８はこの発明の実施の形態１に係るエレベータのかご手摺装置の何れも要部を説明するもので、図１は手摺装置の起立状態を示す側面図、図２は柱部材とコイルばねとの係合部を示すもので図２（ａ）は図１のＩＩａ−ＩＩａ線における矢視断面図、図２（ｂ）は図２（ａ）のＩＩｂ−ＩＩｂ線における矢視断面図、図３は柱部材の倒伏状態を示す断面図、図４は図３の要部を拡大して説明するもので、図４（ａ）は図３の矢印Ａ方向から見たときの固定金具の動作を説明する矢視図、図４（ｂ）は図４（ａ）に示された固定金具を矢印Ｂ方向から見た矢視図、図５は図４（ａ）の側面図、図６は図４（ａ）の斜視図、図７は図３の固定状態を示す斜視図、図８は柱部材の根元部を固定する固定部材を示す図で、（ａ）は平面図、（ｂ）は側面図である。なお、各図を通じて同一符号は同一部分を示している。
【０００９】
図において、エレベータかごの上部は、かご室１、このかご室１の両外側部に配設されたかご枠柱２、この両かご枠柱２の上端部間をかごの間口方向で接続するフレーム部材としてのかご上枠３、このかご上枠３の出入り口側（図１の左側）に固定され、かご室１の扉４を開閉駆動するかご扉駆動装置５等から構成されている。上記かご上枠３は、出入り口側から見て左右の梁である側梁３ａと、この左右の側梁３ａ間を前後部でそれぞれ接続する前梁３ｂ及び後梁３ｃによリ井桁状に組み合わされ、前梁３ｂ及び後梁３ｃはそれぞれの両端部で左右の側梁３ａと溶接接合され、全体として方形のかご上枠３が形成されている。
【００１０】
かご手摺装置６は、一端部（下部）が上記フレーム部材であるかご上枠３を構成する側梁３ａの両端部近傍に固定され、他端部、即ち先端部が傾動し得るようにそれぞれ鉛直方向に突設された複数のコイルばね７と、根元部８ａがこのコイルばね７の外周部を包囲するように該コイルばね７に係合され、該コイルばね７との係合を保持して横向きに倒伏し得ると共に、略鉛直方向に起立し得る複数の中空の柱部材８と、この柱部材８の倒伏状態を保持する固定具９と、起立状態を保持する保持部材１０と、上記柱部材８の先端部８ｂ相互に固定された手摺部材１１などから構成されている。上記柱部材８は例えば丸パイプ又は角パイプなどの中空の筒状材により構成され、中間部付近には隣接する柱部材８同士を接続する中桟１２が溶接接合されている。そして、柱部材８が起立されたときに根元部８ａを固定して柱部材８が上方向へ移動するのを規制する蝶ボルトからなる固定部材１５を備えている。
【００１１】
コイルばね７の下端部は図２（ａ）に示すように上梁３の側梁３ａ上に上向きに溶接により接合され、上端部には逆Ｕ字状に細長く形成されたフック部７ａが設けられている。コイルばね７の外径は、柱部材８の内径（内寸）よりも一回り小さい外形形状で、手摺装置６の質量に応じてばね定数を適度に調整されている。柱部材８は開口された根元部８ａからコイルばね７の先端部を挿入するようにしてコイルばね７に係合させ、柱部材８の中心を貫通して設けられたピン１３をフック部７ａ内側に挿通させることにより、柱部材８がコイルばね７から抜ける事を防止する。固定具９は、かご上枠３の側面部に設けられたネジ座１４ａに対して締め付け可能に設けられた蝶ボルト９１ａと、Ｌ字形に形成され、一辺９２ａに設けられた穴（図示省略）に蝶ボルト９１ａが挿通され、他片９２ｂにＵ字状の切り欠き９２ｃが形成された固定金具９２と、柱部材８に設けられたねじ座１４ｂに対して締め付け可能に設けられた蝶ボルト９１ｂにより構成されている。
【００１２】
倒れ防止金具でなる保持部材１０は、柱部材８が起立されたときに該柱部材８の倒伏方向を除く３方を包囲するように断面コ字状に形成され、下端部がフレーム部材３に溶接によって固定されている。これにより、柱部材８がかごの外側方向及び図１の左右方向へ倒れることを防止している。柱部材８の上方向の移動を規制する蝶ボルトからなる固定部材１５は、保持部材１０に加工されたネジ穴１０ａに螺合されている。柱部材８には固定部材１５のネジ径より一回り大きい穴８ｃが施工されておリ、固定部材１５をねじ込むと、柱部材８に施工された穴８ｃに固定部材１５の先端部分が挿入され、柱部材８の上方向への移動が規制されると同時に、かご内側へ柱部材８が倒れることも防止する。なお、上記手摺装置６はかご室１の左右側方に対向する２辺に対称的に同様に構成され、直交する前後の２辺は例えばかご室１の出入口が１箇所のときは出入口側を除く後方部に図示省略している手摺部材によって左右側方部の柱部材８相互を連結し、かご室１上部３辺にコ字状に組立てられる。なお、該出入口が２箇所のときは左右の手摺装置６相互を連結せずに用いるように構成されている。
【００１３】
次に、上記のように構成された実施の形態１の動作について説明する。まず、エレベータの通常の運転中は、図３、図５、図７に示すように柱部材８はコイルばね７が直立姿勢を保とうとする力に抗して折り曲げられ、Ｌ字形の固定金具９２と蝶ボルト９１ａ、９１ｂからなる固定具９によりかご上枠３に固定され倒伏状態に畳まれている。このとき、コイルばね７は略９０°曲げられ、ある一定のばね力が柱部材８を起こす方向に作用している。次に、エレベータの保守点検時等にかご室１の上に作業者が乗るときは、蝶ボルト９１ａ、９１ｂを緩め、図４の固定金具９２を蝶ボルト９１ａの軸の周りに時計方向にまわすと図４（ａ）の２点鎖線に示すように柱部材８との係合が外れ、柱部材８はコイルばね７の復元力により軽い操作力で鉛直方向に起立できる。柱部材８は起立状態では倒れ防止金具からなる保持部材１０によって３方を保持され、さらに固定部材１５の先端部分が柱部材８の穴８ｃに進入するようにねじ込むことで前後左右方向の倒れ防止機能が働いている状態で保持される。なお、対辺についても同様に起立され、かご室１上部の２辺または３辺に手摺が形成される。
【００１４】
次に、保守点検が終わり、倒伏状態に戻すときは、上記と逆の手順によりかご室１上に折り畳まれる。即ち、固定部材１５を緩めて柱部材８の穴８ｃとの係合を解除し、柱部材８を略水平方向に折り曲げ、蝶ボルト９１ａ、９１ｂを緩める。固定金具９２が蝶ボルト９１ａの軸の周りに回動可能となるので、図４（ａ）、図６に示すように固定金具９２を反時計方向に回動させ、固定金具９２の切り欠き９２ｃに蝶ボルト９１ｂの軸を挿入させる。次いで蝶ボルト９１ａ、９１ｂを締め付けることにより手摺装置６がかご室１上に倒伏状態で固定される。なお、ピン１３は、柱部材８が起立されているときは図２（ｂ）に示すようにフック部７ａの下部に位置しているが、折り曲げ時には図３に示すようにフック部７ａの先端部にピン１３が係合し、柱部材８がコイルばね７から抜けるのを防いでいる。
【００１５】
以上のように、この発明の実施の形態１によれば、手摺装置６が折り畳まれた倒伏状態では、コイルばね７により、ある一定のばね力が柱部材８を起こす方向に作用している。保守作業員はそのばね力を補助により、手摺装置６を容易に起こすことができる。このため、かご室１のサイズが大きく、手摺装置６が大型化しても手摺装置６を組立てるときの操作力がコイルばね７の復元力によって軽くなり、また構造が簡単なので組立が容易で作業者への負担が軽減される。また、かご上枠３との接合にコイルばね７を使用したことで、製造、据付での誤差はばね部分で吸収できるため、調整に関わる時間が削減できるので製造、据付の省力化が図られ、手摺のかご上枠３への接続の余裕度が増す。また、構造が簡単なので安価に得ることができる。
【００１６】
なお、上記実施の形態１では、コイルばね７は手摺装置６を構成する全ての柱部材８に設けたが、必ずしもこれに限定されず、一部はヒンジ構造としても良い。また、図１に示すコイルばね７を備えた手摺装置をかご室１上の両側の２辺に設けた場合について説明したが、４辺全てに同様に構成しても良い。なお、その場合は倒伏方向が直交することになるので、互いに干渉しないように、例えば隣接する辺の高さを対辺に対してずらすなどにより容易に実施することができることは明らかである。その他、この発明の範囲内で種々の変形や変更が可能であることは当然である。
【図面の簡単な説明】
【００１７】
【図１】この発明の実施の形態１に係るエレベータのかご手摺装置の起立状態を示す側面図。
【図２】図１に示された柱部材とコイルばねとの係合部を示すもので、図２（ａ）は図１のＩＩａ−ＩＩａ線における矢視断面図、図２（ｂ）は図２（ａ）のＩＩｂ−ＩＩｂ線における矢視断面図。
【図３】図１に示された柱部材の倒伏状態を示す断面図。
【図４】図３の要部を拡大して説明するもので、図４（ａ）は図３の矢印Ａ方向から見たときの固定金具の動作を説明する矢視図、図４（ｂ）は図４（ａ）に示された固定金具を矢印Ｂ方向から見た矢視図。
【図５】図４（ａ）の側面図。
【図６】図４（ａ）の斜視図。
【図７】図３の固定状態を示す斜視図。
【図８】図１に示された柱部材の根元部を固定する固定部材を示す図で、（ａ）は平面図、（ｂ）は側面図。
【符号の説明】
【００１８】
１  かご室、  ３  かご上枠（フレーム部材）、  ６  かご手摺装置、  ７  コイルばね、  ７ａ  フック部、  ８  柱部材、  ８ａ  根元部、  ８ｂ  先端部、  ８ｃ  穴、  ９  固定具、  ９１ａ、９１ｂ  蝶ボルト、  ９２ａ  一辺、  ９２ｂ  他片、  ９２ｃ  切り欠き、  ９２  固定金具、  １０  保持部材（倒れ防止金具）、  １１  手摺部材、  １２  中桟、  １３  ピン、  １４ａ、１４ｂ  ネジ座、  １５  固定部材（蝶ボルト）。
【図１】
2008285272.tif 000003
【図２】
2008285272.tif 000004
【図３】
2008285272.tif 000005
【図４】
2008285272.tif 000006
【図５】
2008285272.tif 000007
【図６】
2008285272.tif 000008
【図７】
2008285272.tif 000009
【図８】
2008285272.tif 000010